(57)【要約】【課題】シャワー吐水が行われない時に、流路内の残水が通水孔から垂れてしまうのが抑えられるシャワー吐水装置を提供する。【解決手段】流路に設けられるシャワー吐水部は、流路を流れ方向において閉塞する前板部５２を備え、前板部５２を流れ方向に貫通する複数の通水孔５０が形成されるシャワー吐水装置である。前板部５２には、通水孔５０の上流側の端縁の周縁部から、その周辺部よりも上流側に突出する筒部６１が設けられる。【選択図】図１
2014124349.tif 000002
【特許請求の範囲】
【請求項１】
流路構成部と、
前記流路構成部により構成される流路に設けられるシャワー吐水部と、を備え、
前記シャワー吐水部は、前記流路を流れ方向において閉塞する閉塞部を備え、前記閉塞部を流れ方向に貫通する複数の通水孔が形成されてなるシャワー吐水装置であって、
前記閉塞部には、前記通水孔の上流側の端縁の周縁部から、その周辺部よりも上流側に突出する筒部が設けられることを特徴とするシャワー吐水装置。
【請求項２】
前記通水孔の上流側の端縁に、前記筒部を有する、前記閉塞部とは別体の筒部形成部材が設けられることを特徴とする請求項１記載のシャワー吐水装置。
【請求項３】
前記流路の途中に流路切替部が設けられ、前記流路切替部は、その上流側の流路を、その下流側に並設される、前記シャワー吐水部が設けられるシャワー用の流路と、整吐水用の流路のいずれと連通させるかを切り替えるものであり、
前記シャワー用の流路に設けられる前記閉塞部は、下流側より見て環状をしており、環状をした前記閉塞部の下流側の面にシャワー吐水口が形成され、環状をした前記閉塞部の内部が整吐水口となり、
前記閉塞部の上流側の面に、前記筒部形成部材として、内部に開口を有する環状をし、流れ方向に貫通する複数の前記通水孔が周方向に複数形成され、前記通水孔の上流側の端縁の周縁部から、その周辺部よりも上流側に突出する前記筒部が形成されたリング部材が設けられることを特徴とする請求項２記載のシャワー吐水装置。
【発明の詳細な説明】
【技術分野】
【０００１】
本発明は、シャワー吐水装置に関するものである。
【背景技術】
【０００２】
従来より、シャワー吐水装置が知られている（例えば特許文献１参照）。シャワー吐水装置に設けられるシャワー吐水部は、流路を流れ方向において閉塞する閉塞部を備え、閉塞部には、流れ方向に貫通する複数の通水孔が形成されている。
【先行技術文献】
【特許文献】
【０００３】
【特許文献１】実公平７−４２５１８号公報
【発明の概要】
【発明が解決しようとする課題】
【０００４】
ところで、上記従来のようなシャワー吐水装置にあっては、シャワー吐水が行われない時に、流路内の残水が閉塞部に流下すると、閉塞部の表面を伝って通水孔に流入し、残水が通水孔から垂れてしまう、という問題があった。
【０００５】
本発明は上記従来の問題点に鑑みて発明したものであって、その目的とするところは、シャワー吐水が行われない時に、流路内の残水が通水孔から垂れてしまうのが抑えられるシャワー吐水装置を提供することを課題とするものである。
【課題を解決するための手段】
【０００６】
上記課題を解決するために、本発明は、以下のような構成とする。
【０００７】
流路構成部と、前記流路構成部により構成される流路に設けられるシャワー吐水部と、を備え、前記シャワー吐水部は、前記流路を流れ方向において閉塞する閉塞部を備え、前記閉塞部を流れ方向に貫通する複数の通水孔が形成されてなるシャワー吐水装置であって、前記閉塞部には、前記通水孔の上流側の端縁の周縁部から、その周辺部よりも上流側に突出する筒部が設けられることを特徴とする。
【０００８】
また、前記通水孔の上流側の端縁に、前記筒部を有する、前記閉塞部とは別体の筒部形成部材が設けられることが好ましい。
【０００９】
また、前記流路の途中に流路切替部が設けられ、前記流路切替部は、その上流側の流路を、その下流側に並設される、前記シャワー吐水部が設けられるシャワー用の流路と、整吐水用の流路のいずれと連通させるかを切り替えるものであり、前記シャワー用の流路に設けられる前記閉塞部は、下流側より見て環状をしており、環状をした前記閉塞部の下流側の面にシャワー吐水口が形成され、環状をした前記閉塞部の内部が整吐水口となり、前記閉塞部の上流側の面に、前記筒部形成部材として、内部に開口を有する環状をし、流れ方向に貫通する複数の前記通水孔が周方向に複数形成され、前記通水孔の上流側の端縁の周縁部から、その周辺部よりも上流側に突出する前記筒部が形成されたリング部材が設けられることが好ましい。
【発明の効果】
【００１０】
本発明にあっては、シャワー吐水が行われない時に、流路内の残水が通水孔から垂れてしまうのが抑えられる。
【図面の簡単な説明】
【００１１】
【図１】本発明の一実施形態のシャワー吐水装置を示し、（ａ）は要部断面図であり、（ｂ）は（ａ）におけるＡ部の拡大図である。
【図２】同上におけるリング部材を示し、（ａ）は流れ方向上流側より見た図であり、（ｂ）は断面図であり、（ｃ）は（ｂ）におけるＢ部の拡大図である。
【発明を実施するための形態】
【００１２】
本発明のシャワー吐水装置は、流路構成部と、流路構成部により構成される流路に設けられるシャワー吐水部と、を備えるものである。シャワー吐水装置としては、キッチンカウンターや洗面化粧台や浴室等に設けられるカラン装置や、浴室等に設けられるシャワーヘッドが挙げられるが、特に限定されず、他のものであってもよい。以下に説明する一実施形態（本実施形態とする）においては、キッチンカウンターに設けられるカラン装置である。シャワー吐水部は、流路に設けられて、この流路を流れ方向において閉塞する閉塞部を備え、閉塞部に、閉塞部を流れ方向に貫通する複数の通水孔が形成されて構成される。また本実施形態におけるシャワー吐水装置は、シャワー吐水部の他に、整吐水部と、この整吐水部およびシャワー吐水部の上流側に設けられる流路切替部と、を備えている。以下、本実施形態について図１および図２に基いて説明する。
【００１３】
本実施形態におけるシャワー吐水装置は、流路構成部の一部となり、上流側の流路を構成するスパウト部１を備えている。スパウト部１は、図１に示すように、内部に流路１０を有する略筒状をしたものである。本実施形態においては、スパウト部１は、略水平方向を中心軸方向とする断面略円形状をした横筒部１１と、横筒部１１から下側に突出する断面略円形状をした下筒部１２と、略筒状をしたインナー部材１３と、を備えている。横筒部１１の流入側の端部の開口１４は、通常はキッチンカウンターの奥側（キッチンカウンターの使用者を基準とした場合の奥側）を向くことが多いため、便宜上、横筒部１１の中心軸方向における流入側の方を後方とし、その反対を前方とする。
【００１４】
なお、本実施形態におけるシャワー装置は、平面視における向きが変わるように回動自在に設けられており、横筒部１１の後端の開口１４が前側を向くことがあるが、構わないものである。また、液体としては、湯水が最も多く用いられるが、他の液体でもよく特に限定されない。本実施形態においては、液体は水であり、液体の吐出を吐水というものとする。
【００１５】
横筒部１１の前端には前蓋１５が設けられていて、前端の開口が閉塞される。そして、横筒部１１の前部の下側から、前斜め下方を中心軸方向とする下筒部１２が突設されている。横筒部１１の内部と下筒部１２の内部は連通している。横筒部１１には、後端の開口よりインナー部材１３が嵌入されて固定される。インナー部材１３の外周面と横筒部１１の内周面との間には、Ｏリング等からなるパッキン１６が介在される。インナー部材１３の後端の開口が流入口１７となり、インナー部材１３の前端の開口は下筒部１２の内部と連通している。これにより、インナー部材１３の流入口１７から下筒部１２の下端の開口に至る流路１０が形成される。
【００１６】
本実施形態においては、下筒部１２内に、後述する可動体４１を回動自在に支持するための埋設部材２が設けられる。埋設部材２は、図１に示すように、内部が流路となる概ね筒状をしたもので、上流側（上側）の上筒部２１が、スパウト部１内（本実施形態においてはインナー部材１３）に設けられた筒状の被嵌入部１８に嵌入されて、スパウト部１に固定される。なお、本実施形態においては、上筒部２１は、被嵌入部１８内に無理嵌めされて固定されているが、例えば螺合により固定されてもよく、固定方法は特に限定されない。
【００１７】
埋設部材２の上筒部２１の下流側（下側）には、上筒部２１の下流端に設けられる支持板２２と、支持板２２から下流側に突出する外筒部２３と、が設けられる。また、支持板２２の中央部には、下流側に向けて突出するボス状に形成され、内部のボス穴が後述する連結部材４５の固着穴２４となる、可動体４１を回動自在に支持する支持部２５が設けられる。また、支持板２２の支持部２５が設けられた部分以外の一部に、上流側から下流側にかけて支持板２２を貫通するシャワー用通水口２６が形成されている。さらに、支持板２２の支持部２５およびシャワー用通水口２６が設けられた部分以外の部分に、上流側から下流側にかけて支持板２２を貫通する整吐水用通水口２７が形成されている。埋設部材２は、上筒部２１がスパウト部１の被嵌入部１８に嵌入されて固定された状態で、外筒部２３の外周面がスパウト部１の下筒部１２内に下筒部１２の内周面から隙間をあけて配置され、この隙間に保持部材３が挿入される。
【００１８】
保持部材３は、図１に示すように、内部が流路となる略筒状をしたもので、上流側（上側）筒部３１の外周面に雄ねじ３２が形成されている。また、スパウト部１の下筒部１２の内面に、雄ねじ３２が螺合する雌ねじ１９が形成されている。上流側筒部３１は、雄ねじ３２が雌ねじ１９に螺合されながら、下筒部１２と外筒部２３との間の隙間に挿入されることで、保持部材３がスパウト部１に固定される。なお、本実施形態においては、上流側筒部３１が下筒部１２に螺合により固定されているが、例えば嵌入により固定されてもよく、固定方法は特に限定されない。
【００１９】
上流側筒部３１が下筒部１２に固定された状態で、保持部材３の下流側（下側）筒部３３は下筒部１２の下側に突出する。また、下流側筒部３３の外周面に、周方向に亘って一条の凹溝が形成され、この凹溝にＯリング等からなるパッキン３４が収容されている。保持部材３がスパウト部１に固定された状態で、保持部材３の内部の開口を介して埋設部材２の支持部２５が露出しており、この支持部２５に流路切替部４を構成する可動体４１が回動自在に設けられる。
【００２０】
流路切替部４は、その前後の流路の連通状態を切り替えるものである。本実施形態においては、図１に示すように、内部に連通路４０が形成される可動体４１を備えている。そして、可動体４１が動いて連通路４０が移動することにより、可動体４１の上流側の流路（上記シャワー用通水口２６、整吐水用通水口２７）が、可動体４１の下流側に並設される後述するシャワー用の流路と整吐水用の流路のいずれと連通させるかが切り替えられるものである。可動体４１は、保持部材３の下流側筒部３３の内径よりも小さい外径を有する可動筒部４２と、可動筒部４２の上流端に設けられ、可動筒部４２の内部の開口を閉塞する可動閉塞部４３と、を備えている。可動閉塞部４３は、中央部に連結部材４５の軸部が挿通可能で連結部材４５の頭部が挿通不可となる連結部材挿通孔４４が形成されている。また、可動閉塞部４３の連結部材挿通孔４４が設けられた部分以外の一部に、上流側から下流側にかけて可動閉塞部４３を貫通する孔からなるシャワー用連通路４０ａが形成されている。さらに、可動閉塞部４３の連結部材挿通孔４４およびシャワー用連通路４０ａが設けられた部分以外の部分に、上流側から下流側にかけて可動閉塞部４３を貫通する孔からなる整吐水用連通路４０ｂが形成されている。
【００２１】
シャワー用連通路４０ａの下流端の開口は、可動閉塞部４３の側面に形成されており、シャワー用連通路４０ａの下流端の開口から流出する水は、可動筒部４２の外部を流れる。また、整吐水用連通路４０ｂの下流端の開口は、可動閉塞部４３の下面（下流側の面）に形成されており、整吐水用連通路４０ｂの下流端の開口から流出する水は、可動筒部４２の内部を流れる。
【００２２】
可動体４１は、その可動筒部４２が、保持部材３の下流側筒部３３内に、下流側筒部３３の内周面から隙間３５をあけて配置される。そして、可動閉塞部４３の連結部材挿通孔４４の下流側から、連結部材４５の軸部が挿通される。連結部材４５は、頭部と軸部とを有するもので、本実施形態においては、軸部の先端部の外周面に雄ねじ（不図示）が形成されており、埋設部材２の支持部２５の固着穴２４の内周面に前記雄ねじに対応する雌ねじ（不図示）が形成されている。連結部材挿通孔４４に挿通された軸部は、埋設部材２の固着穴２４に螺合により固着され、頭部が可動閉塞部４３の連結部材挿通孔４４の周縁部を押さえる。これにより、可動体４１が、埋設部材２から脱落せず、且つ、連結部材挿通孔４４を中心として埋設部材２（およびスパウト部１、保持部材３）に対して回動自在となるように埋設部材２に設けられる。
【００２３】
可動体４１は、連結部材挿通孔４４を中心とする回動が図示しない規制手段により規制され、所定の回動範囲内で回動自在となる。そして、可動体４１が、所定の回動範囲の一端側に位置する時に、図１における可動体４１および埋設部材２の左半部に示すように、可動体４１に形成されたシャワー用連通路４０ａと、埋設部材２に形成されたシャワー用通水口２６とが連通する。この時、図示しないが、可動体４１に形成された整吐水用連通路４０ｂと、埋設部材２に形成された整吐水用通水口２７とは連通しない。この状態において、水は、スパウト部１のインナー部材１３内、埋設部材２の上筒部２１内、支持板２２のシャワー用通水口２６、流路切替部４の可動閉塞部４３のシャワー用連通路４０ａ、保持部材３の下流側筒部３３と可動筒部４２との間に形成される隙間３５、を順に通る。すなわち、この水の流路がシャワー用の流路となる。そして、これらスパウト部１、埋設部材２、保持部材３、流路切替部４が、シャワー用の流路を構成する流路構成部となる。
【００２４】
また、可動体４１が、所定の回動範囲の他端側に位置する時に、図１における可動体４１および埋設部材２の右半部に示すように、可動体４１に形成された整吐水用連通路４０ｂと、埋設部材２に形成された整吐水用通水口２７とが連通する。この時、図示しないが、可動体４１に形成されたシャワー用連通路４０ａと、埋設部材２に形成されたシャワー用通水口２６とは連通しない。この状態において、水は、スパウト部１のインナー部材１３内、埋設部材２の上筒部２１内、支持板２２の整吐水用通水口２７、流路切替部４の可動閉塞部４３の整吐水用連通路４０ｂ、可動筒部４２内、を順に通る。すなわち、この水の流路が整吐水用の流路となるものである。そして、これらスパウト部１、埋設部材２、流路切替部４が、整吐水用の流路を構成する流路構成部となる。
【００２５】
このように、流路切替部４は、シャワー用連通路４０ａおよび整吐水用連通路４０ｂを有する可動体４１と、シャワー用通水口２６および整吐水用通水口２７を有する埋設部材２と、で構成される。なお、図１における可動体４１および埋設部材２にあっては、便宜上、シャワー用連通路４０ａとシャワー用通水口２６とが連通する場合を左半部に示し、整吐水用連通路４０ｂと整吐水用通水口２７とが連通する場合を右半部に示している。
【００２６】
本実施形態においては、保持部材３と可動体４１とを覆うカバー部材５が設けられる。カバー部材５は、図１に示すように、保持部材３の下流側筒部３３の外周面を覆うカバー筒部５１と、カバー筒部５１の前端縁に設けられる前板部５２と、を備えている。カバー筒部５１は、下流側筒部３３の外周面に被嵌される。カバー筒部５１の内周面と下流側筒部３３の外周面との間にはパッキン３４が介在される。これにより、水が、隙間３５から、カバー筒部５１の内周面と下流側筒部３３の外周面との間に浸入して外部に漏れるのが抑えられる。前板部５２は、カバー筒部５１の前端縁より内側に内フランジ状に設けられ、内周縁の内部に開口を有するものである。この前板部５２は、カバー筒部５１が下流側筒部３３に被嵌された状態で、下流側筒部３３の内周面と可動筒部４２の外周面との間に形成される隙間３５の下流端を覆って閉塞するもので、シャワー吐水部（およびその閉塞部）を構成するものである。前板部５２には、流れ方向に貫通する複数の通水孔５０が形成されている。これにより、下流側より見て、環状をした前板部５２の下流側の面にシャワー吐水口が形成されることとなる。また、前板部５２の上流側の面には、前板部５２の上流側の面と同様の形状となる、内部に開口を有する環状をしたストレーナ５３、ストレーナ５４が重ねて設けられている。なお、ストレーナ５３、５４は任意の部材であり、一つのみ設けられてもよいし、二つ以上の複数設けられてもよいし、設けられなくてもよい。
【００２７】
また、前板部５２の内周縁に、上流側に凹または凸となる係合部（不図示）が設けられ、可動筒部４２の下流端に、前記係合部に対応する凸または凹となる被係合部（不図示）が設けられる。前記係合部と前記被係合部とが係合することにより、カバー部材５は可動体４１と一体となって、埋設部材２に対して回動する。カバー部材５の外面（特にカバー筒部５１の外周面）には、凹または凸等からなり、操作の際に指が掛けられる操作部（不図示）が設けられてもよい。なお、カバー部材５と可動体４１の連結は、前記係合部および被係合部に限定されない。
【００２８】
そして、前板部５２（閉塞部）には、通水孔５０の上流側の端縁の周縁部から、その周辺部よりも上流側に突出する筒部６１が設けられるものである。本実施形態においては、図１に示すように、通水孔５０の上流側の端縁の位置となる、前板部５２の上流側の面に、ストレーナ５３およびストレーナ５４を介して、筒部６１を有する、閉塞部とは別体の筒部形成部材が設けられる。
【００２９】
本実施形態においては、筒部形成部材は、筒部６１を有するリング部材６で構成される。リング部材６は、図２に示すように、前板部５２の上流側の面と同様の形状となる、内部に開口を有する環状をしたものである。そして、流れ方向に貫通する複数の通水孔６０が周方向に複数形成されている。この通水孔６０は前板部５２の通水孔５０に対応する位置にそれぞれ設けられ、通水孔６０と通水孔５０とが連通するものである。しかしながら、本実施形態におけるようにストレーナ５３、ストレーナ５４が介在している場合には、必ずしも通水孔６０と通水孔５０とが互いに対応する位置になくてもよい。そして、リング部材６の通水孔６０の上流側の端縁の周縁部から、その周辺部よりも上流側に突出する筒部６１が形成されている。
【００３０】
隙間３５に流入した水は、リング部材６の通水孔６０、ストレーナ５３、ストレーナ５４、前板部５２の通水孔５０を通ってシャワー吐水される。上述したシャワー用の流路に前記流路を加えたものが、シャワー用の流路の全体となる。また、上述したスパウト部１、埋設部材２、保持部材３、流路切替部４に加え、カバー部材５（含ストレーナ５３、ストレーナ５４）、リング部材６が、シャワー用の流路を構成する流路構成部となる。
【００３１】
カバー部材５は、カバー保持部材７により、可動体４１と連結された状態が保持される。カバー保持部材７は、図１に示すように、内部が流路となる略筒状をした取付筒部７１と、取付筒部７１の前端縁より外側に設けられるフランジ部７２と、を有するものである。
【００３２】
取付筒部７１は、外周面に雄ねじ（不図示）が形成されている。また、可動筒部４２の内周面に、前記雄ねじが螺合する雌ねじ（不図示）が形成されている。取付筒部７１の雄ねじが、可動筒部４２の雌ねじに螺合されながら、取付筒部７１が可動筒部４２内に挿入されることで、カバー保持部材７が可動体４１に固定される。また、取付筒部７１の上流端と可動閉塞部４３の下面との間には、パッキン７３が介在される。これにより、水が、取付筒部７１内から、取付筒部７１の外周面と可動筒部４２の内周面との間に浸入するのが抑えられる。
【００３３】
取付筒部７１が可動筒部４２に固定された状態で、フランジ部７２がカバー部材５の前板部５２に当接して押さえ、カバー部材５が脱落するのが防止される。また、取付筒部７１内にはストレーナ７４が収容される。
【００３４】
整吐水用連通路４０ｂより可動筒部４２内に流入した水は、ストレーナ７４を通って整吐水される。上述した整吐水用の流路にストレーナ７４内の流路を加えたものが、整吐水用の流路の全体となる。また、上述したスパウト部１、埋設部材２、流路切替部４に加え、カバー保持部材７（含ストレーナ７４）が、整吐水用の流路を構成する流路構成部となり、カバー保持部材７が整吐水部を構成する。また、下流側より見て、環状をした前板部５２の内部が整吐水口となる。
【００３５】
上述したシャワー吐水装置にあっては、前板部５２に筒部６１が設けられている。これにより、隙間３５に流入した水は、通水孔６０および通水孔５０を通ってシャワー吐水される際、筒部６１の周辺部よりも上流側に突出する筒部６１の上流端の開口より通水孔６０に流入しなければ、シャワー吐水されない。このため、シャワー吐水が行われない時に、シャワー用の流路内の残水がリング部材６に流下しても、筒部６１（通水孔６０）が設けられている部分の周辺部に落下すれば、周辺部に落下した水は、筒部６１により、通水孔６０に浸入するのが阻止される。これにより、シャワー吐水が行われない時に、シャワー用の流路内の残水が通水孔５０から垂れるのが抑えられるものである。
【００３６】
また、閉塞部とは別体のリング部材６が設けられることにより、容易に筒部６１が形成可能であり、また、後付けにより筒部６１が形成されることも可能となる。
【符号の説明】
【００３７】
１    スパウト部
１０  流路
１１  横筒部
１２  下筒部
１３  インナー部材
１４  開口
１５  前蓋
１６  パッキン
１７  流入口
１８  被嵌入部
１９  雌ねじ
２    埋設部材
２１  上筒部
２２  支持板
２３  外筒部
２４  固着穴
２５  支持部
２６  シャワー用通水口
２７  整吐水用通水口
３    保持部材
３１  上流側筒部
３２  雄ねじ
３３  下流側筒部
３４  パッキン
３５  隙間
４    流路切替部
４０  連通路
４０ａ  シャワー用連通路
４０ｂ  整吐水用連通路
４１  可動体
４２  可動筒部
４３  可動閉塞部
４４  連結部材挿通孔
４５  連結部材
５    カバー部材
５０  通水孔
５１  カバー筒部
５２  前板部
５３  ストレーナ
５４  ストレーナ
６    リング部材
６０  通水孔
６１  筒部
７    カバー保持部材
７１  取付筒部
７２  フランジ部
７３  パッキン
７４  ストレーナ
【図１】
2014124349.tif 000003
【図２】
2014124349.tif 000004